(57)【要約】【課題】複数の検索条件が設定された場合における全体の検索結果の概要を把握しやすくする。【解決手段】端末装置１００の制御部２０内の検索結果取得部２２は、ユーザによって検索条件として指定された地域毎に、当該地域に対応する投稿情報、換言すれば、当該地域において投稿された投稿情報を取得する。更に、制御部２０内の検索結果表示制御部２４は、地域毎の投稿情報の件数に比例するように、当該地域の投稿情報を表示するための表示領域についてのディスプレイ８０の長手方向の表示幅や表示色を設定する。【選択図】図２
2014006736.tif 000002
【特許請求の範囲】
【請求項１】
検索された情報を提示する情報提示装置であって、
画像を表示する表示手段と、
複数の検索条件毎に前記検索条件に合致する情報を取得する検索結果取得手段と、
前記検索結果取得手段により前記検索条件毎に取得された前記検索条件に合致する情報の件数に応じて、前記表示手段における前記検索条件毎の表示領域の大きさを設定し、前記検索条件毎の表示領域に、対応する前記検索条件に合致する情報を表示させる検索結果表示制御手段と、
を備えることを特徴とする情報提示装置。
【請求項２】
前記検索結果取得手段は、複数のタイミングにおいて、前記複数の検索条件毎に前記検索条件に合致する情報を取得し、
前記検索結果表示制御手段は、前記検索結果取得手段により新たに前記検索条件毎に取得された前記検索条件に合致する情報の件数に応じて、前記表示手段における前記検索条件毎の表示領域を変更することを特徴とする請求項１に記載の情報提示装置。
【請求項３】
前記検索結果表示制御手段は、前記検索結果取得手段により前記検索条件毎に取得された前記検索条件に合致する情報の件数に比例する幅の前記表示領域の大きさを設定することを特徴とする請求項１又は２に記載の情報提示装置。
【請求項４】
前記検索結果表示制御手段は、前記表示領域における２点の接触位置の距離が拡大する場合に前記表示領域を拡大し、前記表示領域における２点の接触位置の距離が縮小する場合に前記表示領域を縮小することを特徴とする請求項１乃至３の何れかに記載の情報提示装置。
【請求項５】
前記検索結果表示制御手段は、前記表示領域が最も縮小された状態において、前記表示領域に、対応する前記検索条件に関する情報を表示させることを特徴とする請求項４に記載の情報提示装置。
【請求項６】
前記検索結果表示制御手段は、前記表示領域が最も縮小された状態において、前記表示領域に、対応する前記検索条件に合致する所定件数の前記情報を表示させることを特徴とする請求項４又は５に記載の情報提示装置。
【請求項７】
前記検索結果表示制御手段は、前記表示領域に、対応する前記検索条件に合致する前記情報の件数に応じた態様の画像を表示させることを特徴とする請求項１乃至６の何れかに記載の情報提示装置。
【請求項８】
前記検索結果表示制御手段は、前記表示領域に、対応する前記検索条件に合致する前記情報をスクロール表示させることを特徴とする請求項１乃至７の何れかに記載の情報提示装置。
【請求項９】
前記検索結果表示制御手段は、対応する前記検索条件に合致する前記情報の件数に応じて、前記スクロール表示におけるスクロール速度を設定することを特徴とする請求項８に記載の情報提示装置。
【請求項１０】
画像を表示する表示手段を有し、検索された情報を提示する情報提示装置における情報提示方法であって、
複数の検索条件毎に前記検索条件に合致する情報を取得する検索結果取得ステップと、
前記検索結果取得ステップにおいて前記検索条件毎に取得された前記検索条件に合致する情報の件数に応じて、前記表示手段における前記検索条件毎の表示領域の大きさを設定し、前記検索条件毎の表示領域に、対応する前記検索条件に合致する情報を表示させる検索結果表示制御ステップと、
を含むことを特徴とする情報提示方法。
【請求項１１】
コンピュータを、
画像を表示する表示手段、
複数の検索条件毎に前記検索条件に合致する情報を取得する検索結果取得手段、
前記検索結果取得手段により前記検索条件毎に取得された前記検索条件に合致する情報の件数に応じて、前記表示手段における前記検索条件毎の表示領域の大きさを設定し、前記検索条件毎の表示領域に、対応する前記検索条件に合致する情報を表示させる検索結果表示制御手段、
として機能させることを特徴とする情報提示プログラム。
【発明の詳細な説明】
【技術分野】
【０００１】
本発明は、情報提示装置、情報提示方法及び情報提示プログラムに関する。
【背景技術】
【０００２】
従来より、キーワード等の検索条件に応じた検索を行い、その検索条件に合致する情報を提示する情報提示装置が知られている。このような情報提示装置において、複数の検索条件が設定されて検索が行われ、ユーザがその検索結果を確認したい場合、情報提示装置は、ユーザの操作に応じて検索結果毎の画面を切り替えながら表示する。また、ユーザが特定の検索結果を確認したい場合、従来の情報提示装置は、ユーザの操作に応じて検索結果の表示領域の大きさを変更し、表示領域の大きさに応じた情報量の検索結果を表示する（例えば、特許文献１参照）。また、従来の情報提示装置は、画面サイズに基づいて一度に表示可能な情報量を設定し、その設定した情報量に応じた検索結果を表示する（例えば、特許文献２参照）。
【先行技術文献】
【特許文献】
【０００３】
【特許文献１】特開２００９−２２９１７２号公報
【特許文献２】特開２００７−１０２７０１号公報
【発明の概要】
【発明が解決しようとする課題】
【０００４】
しかしながら、上述した従来の情報提示装置では、複数の検索条件が設定された場合において全体の検索結果の概要を把握しにくいという問題があった。
【０００５】
例えば、上述した検索結果毎の画面を切り替えながら表示する情報提示装置では、ユーザが全体の検索結果の概要を把握するためには、ユーザによる画面切り替えのための複数の操作が必要であり煩雑である。また、特許文献１及び特許文献２における情報提示装置は、複数の検索条件が設定された場合における検索条件と検索結果の表示態様とが何ら関連付けられていない。このため、ユーザが全体の検索結果の概要を把握することは困難である。
【０００６】
本発明は、このような問題に鑑みてなされたものであり、複数の検索条件が設定された場合における全体の検索結果の概要を把握しやすくすることを目的とする。
【課題を解決するための手段】
【０００７】
上記目的を達成するために、本発明の第１の観点に係る情報提示装置は、検索された情報を提示する情報提示装置であって、画像を表示する表示手段と、複数の検索条件毎に前記検索条件に合致する情報を取得する検索結果取得手段と、前記検索結果取得手段により前記検索条件毎に取得された前記検索条件に合致する情報の件数に応じて、前記表示手段における前記検索条件毎の表示領域の大きさを設定し、前記検索条件毎の表示領域に、対応する前記検索条件に合致する情報を表示させる検索結果表示制御手段と、を備えることを特徴とする。
【０００８】
このような構成によれば、情報提示装置は、複数の検索条件が設定された場合、検索条件に合致する情報の件数に応じて、検索条件毎の表示領域の大きさを設定する。これにより、ユーザは、表示領域の大きさから各検索条件毎の検索結果である情報のおおよその件数を把握することができ、全体の検索結果の概要を容易に認識することができる。
【０００９】
前記検索結果取得手段は、複数のタイミングにおいて、前記複数の検索条件毎に前記検索条件に合致する情報を取得し、前記検索結果表示制御手段は、前記検索結果取得手段により新たに前記検索条件毎に取得された前記検索条件に合致する情報の件数に応じて、前記表示手段における前記検索条件毎の表示領域を変更するようにしてもよい。
【００１０】
このような構成によれば、情報提示装置は、新たに取得される情報の件数に応じて、検索条件毎の表示領域を変更する。これにより、ユーザは、表示領域の大きさの変化から各検索条件毎の検索結果である情報の件数の変化、換言すれば、検索対象となる情報の変化の傾向を認識することができる。
【００１１】
前記検索結果表示制御手段は、前記検索結果取得手段により前記検索条件毎に取得された前記検索条件に合致する情報の件数に比例する幅の前記表示領域の大きさを設定するようにしてもよい。
【００１２】
このような構成によれば、情報提示装置は、取得される情報の件数に応じて、検索条件毎の表示領域の幅を変更する。これにより、ユーザは、表示領域の幅から各検索条件毎の検索結果である情報の件数を把握することができ、全体の検索結果の概要を容易に認識することができる。
【００１３】
前記検索結果表示制御手段は、前記表示領域における２点の接触位置の距離が拡大する場合に前記表示領域を拡大し、前記表示領域における２点の接触位置の距離が縮小する場合に前記表示領域を縮小するようにしてもよい。
【００１４】
このような構成によれば、情報提示装置は、表示領域における２点の接触位置の距離の変化に応じて表示領域を拡大、縮小する。これにより、ユーザは、所定の検索条件に合致する情報が必要あるいは不要と考える場合には、表示領域における２点の接触位置の距離を変化させる操作を行うだけでよく、簡易な操作でユーザの要望に応じた情報提示が可能となる。
【００１５】
前記検索結果表示制御手段は、前記表示領域が最も縮小された状態において、前記表示領域に、対応する前記検索条件に関する情報を表示させるようにしてもよい。
【００１６】
このような構成によれば、情報提示装置は、表示領域が最も縮小された状態であっても、対応する検索条件に関する情報を表示する。このため、検索条件に関する表示が完全に消去されてしまうことがなく、ユーザは、検索条件を認識することが可能となる。
【００１７】
前記検索結果表示制御手段は、前記表示領域が最も縮小された状態において、前記表示領域に、対応する前記検索条件に合致する所定件数の前記情報を表示させるようにしてもよい。
【００１８】
このような構成によれば、情報提示装置は、表示領域が最も縮小された状態であっても、対応する検索条件に合致する情報を所定件数だけ表示する。このため、検索条件に関する表示が完全に消去されてしまうことがなく、ユーザは、検索条件を認識することが可能となる。
【００１９】
前記検索結果表示制御手段は、前記表示領域に、対応する前記検索条件に合致する前記情報の件数に応じた態様の画像を表示させるようにしてもよい。
【００２０】
携帯電話機等の情報提示装置の場合、表示手段が小さく、検索条件に合致する情報の全てを一度に表示することは困難である。このため、情報提示装置が、対応する検索条件に合致する情報の件数に応じた態様の画像を表示することで、ユーザは、検索条件に合致する情報の全てが表示されていなくても、その情報のおおよその件数を認識することが可能となる。
【００２１】
前記検索結果表示制御手段は、前記表示領域に、対応する前記検索条件に合致する前記情報をスクロール表示させるようにしてもよい。
【００２２】
検索条件に合致する情報の全てを一度に表示することができない場合であっても、情報提示装置が、スクロール表示を行うことで、ユーザは、検索条件に合致する全ての情報を認識することができる。
【００２３】
前記検索結果表示制御手段は、対応する前記検索条件に合致する前記情報の件数に応じて、前記スクロール表示におけるスクロール速度を設定するようにしてもよい。
【００２４】
このように、情報提示装置が、検索条件に合致する情報の件数に応じて、スクロール速度を設定することにより、検索条件に合致する全ての情報の表示が終了する前であっても、ユーザは、そのスクロール速度により、検索条件に合致する情報のおおよその件数を認識することができる。
【００２５】
上記目的を達成するために、本発明の第２の観点に係る情報提示方法は、画像を表示する表示手段を有し、検索された情報を提示する情報提示装置における情報提示方法であって、複数の検索条件毎に前記検索条件に合致する情報を取得する検索結果取得ステップと、前記検索結果取得ステップにおいて前記検索条件毎に取得された前記検索条件に合致する情報の件数に応じて、前記表示手段における前記検索条件毎の表示領域の大きさを設定し、前記検索条件毎の表示領域に、対応する前記検索条件に合致する情報を表示させる検索結果表示制御ステップと、を含むことを特徴とする。
【００２６】
上記目的を達成するために、本発明の第３の観点に係る情報提示プログラムは、コンピュータを、画像を表示する表示手段、複数の検索条件毎に前記検索条件に合致する情報を取得する検索結果取得手段、前記検索結果取得手段により前記検索条件毎に取得された前記検索条件に合致する情報の件数に応じて、前記表示手段における前記検索条件毎の表示領域の大きさを設定し、前記検索条件毎の表示領域に、対応する前記検索条件に合致する情報を表示させる検索結果表示制御手段、として機能させることを特徴とする。
【発明の効果】
【００２７】
本発明によれば、複数の検索条件が設定された場合における全体の検索結果の概要を把握しやすくなる。
【図面の簡単な説明】
【００２８】
【図１】情報提供システムの構成を示す図である。
【図２】端末装置の構成を示す図である。
【図３】イベント情報の一例を示す図である。
【図４】クローラ情報の一例を示す図である。
【図５】主関連キーワード情報の一例を示す図である。
【図６】副関連キーワード情報の一例を示す図である。
【図７】ＮＧキーワード情報の一例を示す図である。
【図８】投稿情報の一例を示す図である。
【図９】災害情報の一例を示す図である。
【図１０】候補関連キーワード情報の一例を示す図である。
【図１１】地域領域情報の一例を示す図である。
【図１２】端末装置の動作を示す第１のフローチャートである。
【図１３】端末装置の動作を示す第２のフローチャートである。
【図１４】表示画像の第１の例を示す図である。
【図１５】表示画像の第２の例を示す図である。
【図１６】表示画像の第３の例を示す図である。
【図１７】表示画像の第４の例を示す図である。
【発明を実施するための形態】
【００２９】
以下、本発明の実施形態について、図面を参照しながら詳細に説明する。なお、本発明は下記の実施形態及び図面によって限定されるものではない。本発明の要旨を変更しない範囲で下記の実施形態及び図面に変更を加えることができるのはもちろんである。また、図中同一または相当部分には同一符号を付す。
【００３０】
（１）情報提供システムの構成
図１は、本発明の実施形態に係る情報提供システム１の構成を示す図である。情報提供システム１は、情報提供サーバ１０、端末装置１００−１、１００−２、１００−３（以下、端末装置１００−１、１００−２、１００−３をまとめて適宜「端末装置１００」と称する。）、無線基地局２００−１、２００−２（以下、無線基地局２００−１、２００−２をまとめて適宜「無線基地局２００」と称する。）、通信ネットワーク２５０、イベント通知サーバ３００及び投稿サーバ４００を備える。端末装置１００は、情報提示装置に対応する。
【００３１】
端末装置１００−１乃至１００−３は、いわゆるスマートフォン等の携帯電話機、通信機能を有するパーソナルコンピュータ等である。通信ネットワーク２５０は、例えばインターネットである。端末装置１００は、通信ネットワーク２５０及び無線基地局２００を介して、情報提供サーバ１０との間で通信を行うことができる。また、情報提供サーバ１０は、通信ネットワーク２５０を介して、イベント通知サーバ３００との間で通信を行うことができる。
【００３２】
情報提供システム１において、端末装置１００は、当該端末装置１００のユーザによる操作によって生成される情報である投稿情報を投稿サーバ４００へ送信する。投稿サーバ４００は、端末装置１００からの投稿情報を受信、記憶する。
【００３３】
イベント通知サーバ３００は、イベントとしての地震等の災害発生時に当該災害の発生を示す情報（イベント発生情報）を情報提供サーバ１０へ送信する。この際、イベント通知サーバ３００は、送信先を情報提供サーバ１０に指定して送信するユニキャスト通信を行ってもよく、複数の装置に対して同時に送信するマルチキャスト通信を行ってもよい。
【００３４】
情報提供サーバ１０は、イベント通知サーバ３００からの災害発生を示すイベント発生情報を受信すると、端末装置１００−１乃至１００−３から投稿サーバ４００へ送信され、投稿サーバ４００に記憶される投稿情報から、その災害に関連する投稿情報を抽出し、端末装置１００−１乃至１００−３へ送信する。
【００３５】
具体的には、情報提供サーバ１０は、イベント通知サーバ３００からのイベント発生情報を受信する。イベント発生情報は、例えば、イベントである災害の発生日時を示すイベント日時、災害の発生領域の外縁の経度及び緯度の集合、災害の発生領域の識別情報（例えばＪＩＳコード）等であるであるイベント位置情報、「地震」、「津波」、「震度」等の災害の種類や災害の発生地域の名称等の災害の内容を示す文字列であるイベント情報文字列を含む。なお、イベント位置情報は、災害が発生した領域のみの情報ではなく、災害が発生した領域の周辺の領域や災害が発生した領域に関連する領域の情報を含んでいてもよい。
【００３６】
情報提供サーバ１０は、イベント発生情報を受信すると、イベントの識別情報であるクローラＩＤを設定する。例えば、情報提供サーバ１０は、当該情報提供サーバ１０が内蔵する時計（図示せず）から現在の日時を取得し、その取得した日時を含んだクローラＩＤを生成する。次に、情報提供サーバ１０は、入力されたイベント発生情報に、設定したクローラＩＤを付加してイベント情報を生成し、記憶する。図３は、イベント情報の一例を示す図である。図３に示すイベント情報は、クローラＩＤとイベント発生情報内のイベント日時、イベント位置情報及びイベント情報文字列とを対応付けて構成される。
【００３７】
また、情報提供サーバ１０は、イベント情報を用いて、イベントである災害と１対１に対応する、換言すれば、イベント情報と１対１に対応する情報であるクローラ情報を生成し、記憶する。図４は、クローラ情報の一例を示す図である。図４に示すクローラ情報は、クローラＩＤ、生成日時、イベントタイプ、イベント位置情報、イベント情報文字列、実行フラグ、実行フラグ更新日時、終了フラグ、終了フラグ更新日時、不一致フラグ及び不一致フラグ更新日時を含んで構成される。
【００３８】
クローラＩＤは、イベント情報内のクローラＩＤが設定される。生成日時は、クローラ情報が生成された日時である。例えば、情報提供サーバ１０は、当該情報提供サーバ１０に内蔵された時計から現在の日時を取得し、生成日時に設定する。イベントタイプは、イベントである災害の種別を示す情報であり、地震、津波、台風等の災害の種別毎に異なる情報である。例えば、情報提供サーバ１０は、イベント情報内のイベント情報文字列等に基づいて、災害の種別を判別し、その種別に対応する情報をイベントタイプとして設定する。イベント位置情報及びイベント情報文字列は、イベント情報内のイベント位置情報及びイベント情報文字列である。
【００３９】
実行フラグは、情報提供サーバ１０による投稿情報の抽出の際にクローラ情報が用いられたか否かを示す情報であり、初期状態では用いられていないことを示す「０」、用いられた後は「１」となる。実行フラグ更新日時は、実行フラグが更新された時の日時である。終了フラグは、情報提供サーバ１０によるクローラ情報を用いた投稿情報の抽出が終了したか否かを示す情報であり、初期状態では、終了していないことを示す「０」、終了した後は「１」となる。終了フラグ更新日時は、終了フラグが更新された時の日時である。不一致フラグは、情報提供サーバ１０によるクローラ情報を用いた投稿情報の抽出の際に抽出件数が０件か否か、あるいは、最新に抽出された投稿情報が過去の所定期間以前に発生したか否かを示す情報であり、抽出件数が０件、あるいは、最新に抽出された投稿情報が過去の所定期間以前に発生した場合には「１」、それ以外の場合には「０」となる。不一致フラグ更新日時は、不一致フラグが更新された時の日時である。
【００４０】
情報提供サーバ１０は、予め主関連キーワード情報を記憶している。図５は、主関連キーワード情報の一例を示す図である。図５に示す主関連キーワード情報は、イベントタイプ、位置情報及び主関連キーワードを含んで構成される。イベントタイプは、投稿情報の抽出の際に主関連キーワードを用いるべきイベントである災害の種別を示す情報である。位置情報は、投稿情報の抽出の際に主関連キーワードを用いるべきイベントである災害の発生領域を示す情報であり、災害の発生領域の外縁の経度及び緯度の集合、災害の発生領域の識別情報（例えばＪＩＳコード）等である。主関連キーワードはイベントタイプに対応するイベントとの関連が高いと見なされる文字列であり、第１の関連キーワードに対応する。投稿情報の抽出においては、主関連キーワードを含む投稿情報が抽出される。
【００４１】
情報提供サーバ１０は、投稿情報の抽出に先立って、イベント情報に基づいて副関連キーワード情報を生成し、記憶する。図６は、副関連キーワード情報の一例を示す図である。図６に示す副関連キーワード情報は、クローラＩＤ及び副関連キーワードを含んで構成される。クローラＩＤは、イベント情報内のクローラＩＤが設定される。副関連キーワードはクローラＩＤに対応するイベントとの関連が高いと見なされる文字列であり、第１の関連キーワードに対応する。投稿情報の抽出においては、副関連キーワードを含む投稿情報が抽出される。初期状態では、抽出件数は０である。
【００４２】
情報提供サーバ１０は、予めＮＧキーワード情報を記憶している。図７は、ＮＧキーワード情報の一例を示す図である。図７に示すＮＧキーワード情報は、イベントタイプ及びＮＧキーワードを含んで構成される。イベントタイプは、投稿情報の抽出の際にＮＧキーワードを用いるべきイベントである災害の種別を示す情報である。ＮＧキーワードはイベントタイプに対応するイベントとの関連が低いと見なされる文字列であり、非関連キーワードに対応する。投稿情報の抽出においては、ＮＧキーワードを含む投稿情報は、主関連キーワードや副関連キーワードが含まれていても抽出の対象外となる。
【００４３】
情報提供サーバ１０は、上述したイベント情報、クローラ情報及び副関連キーワード情報が生成、登録された後、クローラ情報毎に投稿情報の抽出を行う。具体的には、情報提供サーバ１０は、端末装置１００によって送信され、投稿サーバ４００に記憶された投稿情報のうち、主関連キーワード及び副関連キーワードの少なくとも何れかを含み、且つ、ＮＧキーワードを含まない投稿情報を抽出する。
【００４４】
図８は、投稿情報の一例を示す図である。図８に示す投稿情報は、投稿日時、投稿位置情報及び投稿情報文字列を含んで構成される。投稿日時は、端末装置１００が投稿情報を送信した日時あるいは投稿サーバ４００が投稿情報を受信した日時等である。投稿位置情報は、投稿情報を送信した端末装置１００の位置を示す情報であり、経度及び緯度からなる。投稿情報文字列は、端末装置１００のユーザの操作によって端末装置１００に入力された文字列である。なお、投稿情報には、投稿者のアカウント名、投稿された画像のデータ等の投稿情報文字列以外のコンテンツデータが含まれる場合もある。
【００４５】
また、情報提供サーバ１０は、主関連キーワード及び副関連キーワード毎に、当該主関連キーワード及び副関連キーワードを含む投稿情報の件数をカウントし、そのカウント値を、主関連キーワード及び副関連キーワードに対応づけて記憶する。更に、情報提供サーバ１０は、イベント情報と、当該イベント情報内のクローラＩＤを含むクローラ情報に対応して抽出した投稿情報とを含む災害情報を生成し、記憶する。図９は、災害情報の一例を示す図である。制御部２０内の投稿情報提供部３０は、災害情報を、通信部６０、通信ネットワーク２５０及び無線基地局２００を介して端末装置１００へ送信する。
【００４６】
また、情報提供サーバ１０は、抽出した投稿情報の解析（例えば形態素解析）を行い、所定数以上の投稿情報に含まれる語を、新たな副関連キーワードとして特定する。更に、情報提供サーバ１０は、特定した新たな副関連キーワードと、対応するクローラ情報内のクローラＩＤとを含んだ新たな副関連キーワード情報を生成し、記憶する。
【００４７】
その後は、情報提供サーバ１０は、上述した投稿情報の抽出、災害情報の送信、新たな副関連キーワード情報の生成及び記憶を所定の周期で繰り返す。
【００４８】
情報提供サーバ１０は、抽出した投稿情報の解析（例えば形態素解析）を行い、所定数以上の投稿情報に含まれる語を、候補関連キーワードとして特定する。更に、情報提供サーバ１０は、特定した候補関連キーワードを含む候補関連キーワード情報を生成し、記憶する。図１０は、候補関連キーワード情報の一例を示す図である。図１０に示す候補関連キーワード情報は、イベントタイプ、位置情報及び候補関連キーワードを含んで構成される。イベントタイプ及び位置情報は、クローラ情報内のイベントタイプ及びイベント位置情報が設定される。候補関連キーワードは文字列である。情報提供サーバ１０の作業者は、候補関連キーワード情報内の候補関連キーワードを選択して新たな主関連キーワードに格上げすべく、所定の操作を行うことができる。この場合、情報提供サーバ１０は、作業者による操作に応じて、記憶している候補関連キーワード情報のうち、選択された候補関連キーワードを含む候補関連キーワード情報を主関連キーワード情報として記憶する。
【００４９】
また、情報提供サーバ１０は、作業者による所定の操作に応じて、新たなＮＧキーワードの追加、ＮＧキーワードの削除、ＮＧキーワードの修正等、ＮＧキーワードの編集を行う。
【００５０】
（２）端末装置の構成
図２は、本発明の実施形態における端末装置１００の構成を示す図である。端末装置１００は、制御部２０、記憶部４０、無線通信部６０、アンテナ６１、ディスプレイ８０及びタッチパネル９０を備える。
【００５１】
制御部２０は、例えばＣＰＵ（Central Processing Unit）により構成される。制御部２０は、記憶部４０に記憶されたプログラムを読み出して実行し、記憶部４０に記憶された各種データを処理することなどにより、端末装置１００の全体を制御する。
【００５２】
記憶部４０は、例えばＲＡＭ（Random Access Memory）である。記憶部４０は、端末装置１００の動作に必要なプログラムや各種データを記憶する。記憶部４０には、検索結果データベース（ＤＢ）４２が構成される。
【００５３】
無線通信部６０は、例えば無線周波数（ＲＦ）回路やベースバンド（ＢＢ）回路等を用いて構成される。無線通信部６０は、アンテナ６１を介して、無線基地局２００との間で無線信号の送信及び受信を行う。また、無線通信部６０は、送信信号の符号化及び変調と、受信信号の復調及び復号とを行う。無線通信部６０と無線基地局２００及び通信ネットワーク２５０とを介した情報提供サーバ１０との間の通信には、ＴＣＰ／ＩＰ（Transmission Control Protocol/Internet Protocol）によるパケット通信等が採用される。また、無線通信部６０と情報提供サーバ１０との間の通信には、必要に応じてＳＳＬ（Secure Socket Layer）等の安全な通信路が用いられる。
【００５４】
ディスプレイ８０は、例えば、ＬＣＤ（Liquid Crystal Display）、ＰＤＰ（Plasma Display Panel）、ＥＬ（Electroluminescence）ディスプレイ等によって構成される。ディスプレイ８０は、制御部２０から出力された画像信号に従って画像を表示する。
【００５５】
タッチパネル９０は、ディスプレイ８０の上面に配置され、端末装置１００のユーザの操作内容を入力するために用いられるインタフェースである。タッチパネル９０は、例えば図示しない透明電極を内蔵し、ユーザの指等が接触した場合に、電圧が変化した位置を接触位置として検出し、その接触位置の情報を制御部２０へ出力する。
【００５６】
制御部２０は、情報提供サーバ１０からの災害情報を、通信ネットワーク２５０及び無線基地局２００、アンテナ６１及び無線通信部６０を介して受信する。更に、制御部２０は、災害情報を記憶部４０内の検索結果ＤＢ４２に登録する。上述したように、情報提供サーバ１０は、所定の周期で災害情報を端末装置１０へ送信する。このため、制御部２０は、所定の周期で災害情報を受信し、記憶部４０内の検索結果ＤＢ４２に登録する。
【００５７】
記憶部４０には、地域毎に当該地域の領域を示す地域領域情報が記憶されている。図１１は、地域領域情報の一例を示す図である。図１１に示す地域領域情報は、地域ＩＤ、地域名及び外縁経度・緯度の集合を含んで構成される。地域ＩＤは、対応する地域を一意に識別するための識別情報である。地域名は、対応する地域の文字列である。外縁経度・緯度は、対応する地域の領域の外縁を示す経度及び緯度の情報である。
【００５８】
制御部２０内の検索結果取得部２２は、記憶部４０内の検索結果ＤＢ４２に登録された災害情報内の投稿情報と、記憶部４０に記憶された地域領域情報とを取得する。検索結果表示制御部２４は、取得された投稿情報と地域領域情報とに基づいて、ディスプレイ８０に投稿情報を表示させる制御を行う。表示制御の詳細については後述する。
【００５９】
（３）端末装置の動作
次に、フローチャートを参照しつつ、端末装置１００の動作を説明する。図１２及び図１３は、端末装置１００による投稿情報の表示制御の動作を示すフローチャートである。
【００６０】
図１２に示すように、制御部２０内の検索結果取得部２２は、投稿情報の表示指示の操作が行われたか否かを判定する（ステップＳ１０１）。具体的には、端末装置１００のユーザは、災害情報をディスプレイ８０に表示させるために、タッチパネル９０に対する所定の操作を行う。ここで、端末装置１００のユーザは、災害情報を必要とする複数の地域を検索条件として指定する操作を行う。指定される地域は、例えば、都道府県、市区町村でもよく、都道府県及び市区町村が混在していてもよい。端末装置１００のユーザによって災害情報をディスプレイ８０に表示させるための操作が行われた場合、検索結果取得部２２は、タッチパネル９０から入力される接触位置の情報に基づいて、災害情報をディスプレイ８０に表示させることが指示されたことと、指定された地域とを認識する。
【００６１】
投稿情報の表示指示の操作が行われた場合（ステップＳ１０１：ＹＥＳ）、検索結果取得部２２は、記憶部４０に記憶された地域領域情報のうち、端末装置１００のユーザによって指定された地域に対応する地域領域情報を取得する（ステップＳ１０３）。次に、検索結果取得部２２は、記憶部４０内の検索結果ＤＢ４２に登録された災害情報内の各投稿情報のうち、端末装置１００のユーザによって指定された地域に対応する投稿情報を取得する（ステップＳ１０４）。具体的には、検索結果取得部２２は、取得された地域領域情報毎に、当該地域領域情報内の外縁の経度・緯度の集合によって示される領域内の位置を示す投稿位置情報を含む投稿情報を検索結果として検索結果ＤＢ４２から取得する。
【００６２】
次に、検索結果表示制御部２４は、地域毎の投稿情報の件数を特定する（ステップＳ１０５）。具体的には、検索結果表示制御部２４は、取得された地域領域情報毎に、当該地域領域情報と、当該地域領域情報内の外縁経度・緯度の集合によって示される領域内の位置を示す投稿位置情報を含む検索結果としての投稿情報とを対応付ける。更に、検索結果表示制御部２４は、各地域領域情報毎に、当該地域領域情報に対応付けられている投稿情報の件数を特定する。特定される件数は、対応する地域において投稿された投稿情報の件数を示す。
【００６３】
次に、検索結果表示制御部２４は、ステップＳ１０５において特定した件数に応じて、地域毎の表示領域についてのディスプレイ８０の長手方向の表示幅を設定する（ステップＳ１０６）。
【００６４】
具体的には、端末装置１００のユーザが指定した全ての地域に対応する投稿情報を同時に表示する場合には、検索結果表示制御部２４は、地域毎の表示領域についてのディスプレイ８０の長手方向の表示幅を、その地域に対応する地域領域情報に対応付けられた投稿情報の件数に比例する幅に設定する。ここで、地域毎の表示領域についてのディスプレイ８０の長手方向の表示幅の合計は、ディスプレイ８０の長手方向の表示幅となる。また、端末装置１００のユーザが指定した地域のうち、所定数の地域に対応する投稿情報を同時に表示する場合には、検索結果表示制御部２４は、端末装置１００のユーザが指定した地域のうち、当該地域に対応する地域領域情報に対応付けられている投稿情報の件数の多い所定数の地域を特定する。更に、検索結果表示制御部２４は、特定した所定数の地域毎の表示領域についてのディスプレイ８０の長手方向の表示幅を、その地域に対応する地域領域情報に対応付けられた投稿情報の件数に比例する幅に設定する。ここで、特定した所定数の地域毎の表示領域についてのディスプレイ８０の長手方向の表示幅は、ディスプレイ８０の長手方向の表示幅となる。
【００６５】
次に、検索結果表示制御部２４は、ステップＳ１０５において特定した件数に応じて、地域毎の表示領域の表示色を設定する（ステップＳ１０７）。ここで、件数に応じて設定される表示色は、色合いのみが異なっていてもよく、明度のみが異なっていてもよい。
【００６６】
次に、検索結果表示制御部２４は、ステップＳ１０５において特定した件数に応じて、地域毎の表示領域のそれぞれを個別にスクロール表示する際のスクロール速度を設定する（ステップＳ１０８）。具体的には、検索結果表示制御部２４は、地域毎の表示領域のそれぞれを個別にスクロール表示する際のスクロール速度を、その地域に対応する地域領域情報に対応付けられた投稿情報の件数に比例する速度に設定する。
【００６７】
次に、検索結果表示制御部２４は、地域毎の表示領域のそれぞれを個別にスクロール表示する制御を開始する（ステップＳ１０９）。具体的には、検索結果表示制御部２４は、地域毎に、当該地域に対応する地域領域情報内の地域名と、当該地域に対応する地域領域情報に対応付けられた投稿情報内の投稿情報文字列と、ステップＳ１０６において設定した表示幅と、ステップＳ１０７において設定した表示色と、ステップＳ１０８において設定したスクロール速度とに基づいて、地域毎の表示領域をスクロール表示するための画像に対応する画像信号を随時生成し、ディスプレイ８０へ出力する。ディスプレイ８０は、入力された画像信号に従って画像を表示する。
【００６８】
図１４は、地域毎の投稿情報のそれぞれを個別にスクロール表示する際の表示画像の一例を示す図である。図１４に示すように、ディスプレイ８０に表示される画像は、地域毎の表示領域６０１、６１１及び６２１を含む。表示領域６０１は、地域名の表示領域６０２及び投稿情報の表示領域６０３により構成される。同様に、表示領域６１１は、地域名の表示領域６１２及び投稿情報の表示領域６１３により構成され、表示領域６２１は、地域名の表示領域６２２及び投稿情報の表示領域６２３により構成される。地域名の表示領域６０２、６１２及び６２２は、対応する地域の地域領域情報内の地域名が含まれる。投稿情報の表示領域６０３、６１３及び６２３は、対応する地域の地域領域情報に対応付けられた投稿情報内の投稿情報文字列が含まれる。
【００６９】
ステップＳ１０９における地域毎の表示領域のそれぞれを個別にスクロール表示する制御が開始された後、図１３に示す動作に移行する。検索結果表示制御部２４は、１つの地域の表示領域を中心とする所定領域において２点の接触を検出したか否かを判定する（ステップＳ１１１）。
【００７０】
具体的には、検索結果表示制御部２４は、タッチパネル９０から入力される接触位置の情報に基づいて、２点の接触が検出されたか否かを判定する。２点の接触が検出された場合には、検索結果表示制御部２４は、更に、２点の接触位置が、１つの地域の表示領域と、ディスプレイ８０の長手方向においてその１つの地域の表示領域を挟む２つの領域との何れかに含まれるか否かを判定する。例えば、図１５に示すように接触位置Ａ及び接触位置Ｂが存在する場合、これら２点の接触位置Ａ及びＢは、１つの地域の表示領域６０１に含まれる。従って、検索結果表示制御部２４は、１つの地域の表示領域を中心とする所定領域において２点の接触を検出したと判定する。
【００７１】
１つの地域の表示領域を中心とする所定領域における２点の接触を検出した場合（ステップＳ１１１：ＹＥＳ）、検索結果表示制御部２４は、端末装置１００のユーザの動きにより、２点の接触位置間の距離がディスプレイ８０の長手方向に拡大したか否かを判定する（ステップＳ１１２）。具体的には、検索結果表示制御部２４は、タッチパネル９０から随時入力される接触位置の情報に基づいて、２点の接触位置の変化を認識する。更に、検索結果表示制御部２４は、２点の接触位置の変化に基づいて、２点の接触位置がディスプレイ８０の長手方向に拡大したか否かを判定する。
【００７２】
２点の接触位置間の距離がディスプレイ８０の長手方向に拡大した場合（ステップＳ１１２：ＹＥＳ）、検索結果表示制御部２４は、２点の接触位置を含む１つの地域の表示領域、又は、２点の接触位置に挟まれた１つの地域の表示領域について、ディスプレイ８０の長手方向の表示幅を拡大させる（ステップＳ１１３）。
【００７３】
具体的には、検索結果表示制御部２４は、２点の接触位置について変化が開始されてからのディスプレイ８０の長手方向の拡大幅を認識する。更に、検索結果表示制御部２４は、２点の接触位置を含む１つの地域の表示領域、又は、２点の接触位置に挟まれた１つの地域の表示領域について、認識した拡大幅に比例するようにディスプレイ８０の長手方向の表示幅を拡大させ、一方、他の地域の表示領域については、ディスプレイ８０の長手方向の表示幅を縮小させた画像に対応する画像信号を生成し、ディスプレイ８０へ出力する。ディスプレイ８０は、入力された画像信号に従って画像を表示する。
【００７４】
一方、２点の接触位置間の距離がディスプレイ８０の長手方向に拡大していない場合（ステップＳ１１２：ＮＯ）、検索結果表示制御部２４は、端末装置１００のユーザの動きにより、２点の接触位置間の距離がディスプレイ８０の長手方向に縮小したか否かを判定する（ステップＳ１１４）。具体的には、ステップＳ１１３と同様、検索結果表示制御部２４は、タッチパネル９０から随時入力される接触位置の情報に基づいて、２点の接触位置の変化を認識する。更に、検索結果表示制御部２４は、２点の接触位置の変化に基づいて、２点の接触位置がディ水プレイ８０の長手方向に縮小したか否かを判定する。
【００７５】
２点の接触位置間の距離がディスプレイ８０の長手方向に縮小した場合（ステップＳ１１４：ＹＥＳ）、検索結果表示制御部２４は、２点の接触位置間のディスプレイ８０の長手方向の距離が所定距離以下になったか否かを判定する（ステップＳ１１５）。
【００７６】
２点の接触位置間のディスプレイ８０の長手方向の距離が所定距離以下である場合（ステップＳ１１５：ＹＥＳ）、検索結果表示制御部２４は、２点の接触位置を含む１つの地域の表示領域、又は、２点の接触位置に挟まれた１つの地域の表示領域について、ディスプレイ８０の長手方向の表示幅を縮小し、地域名のみを表示させる（ステップＳ１１６）。具体的には、検索結果表示制御部２４は、２点の接触位置を含む１つの地域の表示領域、又は、２点の接触位置に挟まれた１つの地域の表示領域については、ディスプレイ８０の長手方向の表示幅を縮小して地域名の表示幅とし、一方、他の地域の表示領域については、ディスプレイ８０の長手方向の表示幅を拡大させた画像に対応する画像信号を生成し、ディスプレイ８０へ出力する。ディスプレイ８０は、入力された画像信号に従って画像を表示する。
【００７７】
例えば、図１５に示すように接触位置Ａ及び接触位置Ｂがそれぞれ矢印の方向に移動して、これら接触位置Ａ及び接触位置Ｂ間のディスプレイ８０の長手方向の距離が所定距離以下になった場合、図１６に示すように、１つの地域の表示領域６０１は、地域名の表示領域６０２のみとなる。
【００７８】
一方、２点の接触位置間のディスプレイ８０の長手方向の距離が所定距離を超える場合（ステップＳ１１５：ＮＯ）、検索結果表示制御部２４は、２点の接触位置を含む１つの地域の表示領域、又は、２点の接触位置に挟まれた１つの地域の表示領域について、ディスプレイ８０の長手方向の表示幅を縮小させる（ステップＳ１１８）。
【００７９】
具体的には、検索結果表示制御部２４は、２点の接触位置の変化が開始されてからのディスプレイ８０の長手方向の縮小幅を認識する。更に、検索結果表示制御部２４は、２点の接触位置を含む１つの地域の表示領域、又は、２点の接触位置に挟まれた１つの地域の表示領域について、認識した縮小幅に比例するようにディスプレイ８０の長手方向の表示幅を縮小させ、一方、他の地域の表示領域については、ディスプレイ８０の長手方向の表示幅を拡大させた画像に対応する画像信号を生成し、ディスプレイ８０へ出力する。ディスプレイ８０は、入力された画像信号に従って画像を表示する。
【００８０】
例えば、図１５に示すように接触位置Ａ及び接触位置Ｂがそれぞれ矢印の方向に移動して、これら接触位置Ａ及び接触位置Ｂ間のディスプレイ８０の長手方向の距離が所定距離を超える場合、図１７に示すように、表示領域６０１におけるディスプレイ８０の長手方向の表示幅は縮小し、表示領域６１１及び６２１におけるディスプレイ８０の長手方向の表示幅は拡大する。
【００８１】
ステップＳ１１１において、１つの地域の表示領域を中心とする所定領域におけるディスプレイ８０の長手方向の２点の接触が検出されていないと判定された場合（ステップＳ１１１：ＮＯ）、ステップＳ１１３において、２点の接触位置を含む１つの地域の表示領域、又は、２点の接触位置に挟まれた１つの地域の表示領域について、ディスプレイ８０の長手方向の表示幅が拡大された場合、ステップＳ１１４において、２点の接触位置間の距離がディスプレイ８０の長手方向に縮小していないと判定された場合（ステップＳ１１４：ＮＯ）、ステップＳ１１６において、２点の接触位置を含む１つの地域の表示領域、又は、２点の接触位置に挟まれた１つの地域の表示領域について、ディスプレイ８０の長手方向の表示幅が縮小されて地域名のみが表示された場合、又は、ステップＳ１１８において、２点の接触位置を含む１つの地域の表示領域、又は、２点の接触位置に挟まれた１つの地域の表示領域について、ディスプレイ８０の長手方向の表示幅が縮小された場合、検索結果表示制御部２４は、投稿情報の表示終了指示の操作が行われたか否かを判定する（ステップＳ１２１）。
【００８２】
投稿情報の表示終了指示の操作が行われた場合（ステップＳ１２１：ＹＥＳ）、一連の動作が終了する。一方、投稿情報の表示終了指示の操作が行われていない場合（ステップＳ１２１：ＮＯ）、検索結果取得部２２は、ステップＳ１０４における投稿情報の取得から所定時間が経過したか否かを判定する（ステップＳ１２２）。
【００８３】
例えば、検索結果取得部２２は、端末装置が内蔵する時計（図示せず）等に基づいて、ステップＳ１０４において投稿情報を取得してからの経過時間を認識し、その経過時間が所定時間以上であるか否かを判定する。投稿情報の取得から所定時間が経過していない場合（ステップＳ１２２：ＮＯ）、ステップＳ１１１における、１つの地域の表示領域を中心とする所定領域におけるディスプレイ８０の長手方向の２点の接触を検出したか否かの判定以降の動作が繰り返される。一方、投稿情報の取得から所定時間が経過した場合（ステップＳ１２２：ＹＥＳ）、ステップＳ１０４における投稿情報の取得以降の動作が繰り返される。
【００８４】
（４）作用・効果
上述したように、情報提供システム１において、端末装置１００は、ユーザによって検索条件として指定された地域毎に、当該地域に対応する投稿情報、換言すれば、当該地域において投稿された投稿情報を取得する。更に、端末装置１００は、地域毎の投稿情報の件数に比例するように、当該地域の投稿情報を表示するための表示領域についてのディスプレイ８０の長手方向の表示幅や表示色を設定する。
【００８５】
これにより、端末装置１００のユーザは、地域毎の表示領域についてのディスプレイ８０の長手方向の表示幅や表示色により、当該地域毎の投稿情報の件数がどの程度であるかを把握することができ、全体の投稿情報の概要を容易に認識することができる。
【００８６】
また、端末装置１００は、ユーザによって検索条件として指定された地域毎の投稿情報を周期的に取得して、地域毎の表示領域についてのディスプレイ８０の長手方向の表示幅を変更する。これにより、端末装置１００のユーザは、地域毎の表示領域についてのディスプレイ８０の長手方向の表示幅から、地域毎の投稿情報の変化の傾向を認識することができる。
【００８７】
また、端末装置１００は、タッチパネル８０における１つの地域の表示領域を中心とする所定領域における２点の接触位置間の距離が、ディスプレイ８０の長手方向に拡大した場合には、当該１つの地域の表示領域をディスプレイ８０の長手方向に拡大し、ディスプレイ８０の長手方向に縮小した場合には、当該１つの地域の表示領域をディスプレイ８０の長手方向に縮小する。これにより、端末装置１００のユーザは、所定の地域に対応する投稿情報が必要あるいは不要と考える場合には、その地域の表示領域を中心とする所定領域において２点の接触位置の距離を変化させる操作を行うだけでよく、簡易な操作でユーザの要望に応じた投稿情報の提示が可能となる。
【００８８】
また、端末装置１００は、２点の接触位置間のディスプレイ８０の長手方向の距離が所定距離以下になった場合には、地域名のみの表示を行う。このため、地域に関する表示が完全に消去されてしまうことがなく、端末装置１００のユーザは、検索条件としての地域を認識することが可能となる。
【００８９】
また、端末装置１００は、地域毎の表示領域に、対応する投稿情報の件数に比例するスクロール速度を設定して、投稿情報のスクロール表示を行う。従って、ディスプレイ８０が小さく、地域に対応する投稿情報の全てを一度に表示することができない場合であっても、スクロール表示によって、端末装置１００のユーザは、特段の操作を行わなくても地域に対応する全ての投稿情報を認識することができる。また、端末装置１００のユーザは、スクロール速度によって、地域に対応する投稿情報のおおよその件数を認識することができる。
【００９０】
（５）その他の実施形態
以上、本発明の実施形態について説明したが、本発明は実施形態によって限定されるものではない。本発明は、実施形態及び以下の変形例を適宜組み合わせたものも含み、また、それらと均等なものも含む。
【００９１】
例えば、上述した実施形態では、検索結果表示制御部２４は、２点の接触位置間のディスプレイ８０の長手方向の距離が所定距離以下になった場合に、ディスプレイ８０の長手方向の表示幅を縮小し、地域名のみを表示させた。しかし、検索結果表示制御部２４は、２点の接触位置間のディスプレイ８０の長手方向の距離が所定距離以下になった場合に、２点の接触位置を含む１つの地域の表示領域、又は、２点の接触位置に挟まれた１つの地域の表示領域については、ディスプレイ８０の長手方向の表示幅を縮小して地域名と所定件数の投稿情報とを表示可能な表示幅としてもよい。この場合も、地域に関する表示が完全に消去されてしまうことがなく、端末装置１００のユーザは、検索条件としての地域を認識することが可能となる。
【００９２】
また、上述した実施形態では、検索結果表示制御部２４は、地域毎の投稿情報の件数に応じて、地域毎の表示領域についてのディスプレイ８０の長手方向の表示幅、地域毎の表示領域の表示色、地域毎の表示領域のスクロール速度を設定した。しかし、検索結果表示制御部２４は、地域毎の表示領域についてのディスプレイ８０の長手方向の表示幅、地域毎の表示領域の表示色、地域毎の表示領域のスクロール速度の何れか１つ又は２つを、地域毎の投稿情報の件数に応じて設定するようにしてもよい。
【００９３】
また、上述した実施形態では、検索結果表示制御部２４は、地域毎の投稿情報の件数に応じて、当該地域毎の表示領域の表示色を設定した。しかし、地域毎の投稿情報の件数に応じた当該地域毎の表示領域の態様の設定はこれに限定されない。例えば、検索結果表示制御部２４は、地域毎の投稿情報の件数に応じて、当該地域毎の表示領域の形状を設定してもよい。
【００９４】
また、上述した実施形態では、端末装置１００内の制御部２０は、情報提供サーバ１０に対して検索に関する特段の指示を行うことなく、当該情報提供サーバ１０からの災害情報を受信した。しかしながら、制御部２０内の検索結果取得部２２が、端末装置１００のユーザによって指定された複数の地域を識別可能な情報を情報提供サーバ１０へ送信し、情報提供サーバ１０から、端末装置１００のユーザによって指定された複数の地域において投稿された投稿情報のみを含んだ災害情報を受信するようにしてもよい。
【００９５】
また、上述した実施形態では、所定のイベントが災害である場合について説明したが、端末装置１００が、災害以外のイベントに関する投稿情報を取得する場合にも、同様に本発明を適用することができる。
【００９６】
また、情報提供システム１の構成は、図１に示すものに限定されない。例えば、情報提供サーバ１０と投稿サーバ４００とが１つのサーバによって構成されていてもよい。また、例えば、端末装置１００の機能を実現するためのプログラムは、ＣＤ−ＲＯＭ等の記憶媒体に記憶されてもよいし、通信ネットワーク２５０を介してダウンロードされてもよい。
【符号の説明】
【００９７】
１  情報提供システム
１０  情報提供サーバ
２０  制御部
２２  検索結果取得部
２４  検索結果表示制御部
４０  記憶部
６０  無線通信部
６１  アンテナ
８０  ディスプレイ
９０  タッチパネル
１００−１、１００−２、１００−３  端末装置
２００−１、２００−２  無線基地局
２５０  通信ネットワーク
３００  イベントサーバ
４００  投稿サーバ
【図１】
2014006736.tif 000003
【図２】
2014006736.tif 000004
【図３】
2014006736.tif 000005
【図４】
2014006736.tif 000006
【図５】
2014006736.tif 000007
【図６】
2014006736.tif 000008
【図７】
2014006736.tif 000009
【図８】
2014006736.tif 000010
【図９】
2014006736.tif 000011
【図１０】
2014006736.tif 000012
【図１１】
2014006736.tif 000013
【図１２】
2014006736.tif 000014
【図１３】
2014006736.tif 000015
【図１４】
2014006736.tif 000016
【図１５】
2014006736.tif 000017
【図１６】
2014006736.tif 000018
【図１７】
2014006736.tif 000019